(57)【要約】【課題】端部に固定された端部蓋体が容易に脱落することがないマイクロホン装置を提供する。【解決手段】マイクロホン装置は、本体のアンテナキャップ側の終端部にロックキャップの固定構造を有する。クッションリングは、弾性を有する環状部材であり、アンテナキャップを環内に通して本体に装着される。カラーリングは、アンテナキャップおよびクッションリングを環内に通して本体に装着される。本体のアンテナキャップ側の終端部は、ロックキャップの爪が通る通路が階段状に配置される。ロックキャップは、爪が通路を通って溝にはまることで本体に固定される。クッションリングは、爪の移動を規制する三角爪および爪を溝に押し付けるアームを備える。【選択図】図２
2012257123.tif 000002
【特許請求の範囲】
【請求項１】
略円筒状の本体端部を有する本体と、前記本体端部に着脱可能な端部蓋体を備え、
前記端部蓋体は、内周部に係入突起を備え、
前記本体端部は、外周部に、
前記係入突起を係入する係入凹部と、
前記係入突起が進退方向に第１の深さまで移動可能な第１通路と、
前記係入突起が進退方向に前記第１の深さから前記第１の深さより深い第２の深さまで移動可能な第２通路と、
前記係入突起が進退方向に前記第２の深さから前記第２の深さより深くにある前記係入凹部まで移動可能な第３通路と、
前記進退方向と直交する方向に、前記係入突起が前記第１通路と前記第２通路の間を移動可能な第４通路と、
前記進退方向と直交する方向に、前記係入突起が前記第２通路と前記第３通路の間を移動可能な第５通路と、
前記第４通路上にあって前記第１通路と前記第２通路の前記係入突起の往来を規制する第１規制部と、
前記第３通路上にあって前記係入凹部にある前記係入突起の前記第２の深さまでの移動を規制する第２規制部と、
を備えるマイクロホン装置。
【請求項２】
前記端部蓋体は、前記内周部に等間隔で３対の前記係入突起を備え、
前記本体端部は、外周部に等間隔で３対の、前記係入凹部、前記第１通路、前記第２通路、前記第３通路、前記第４通路、前記第５通路、前記第１規制部および前記第２規制部を備える請求項１記載のマイクロホン装置。
【請求項３】
前記第４通路と前記第５通路は、前記第２通路で折り返す請求項２記載のマイクロホン装置。
【請求項４】
前記本体端部は、
前記係入凹部と、前記第５通路を形成するとともに前記第２通路の一側終端となるガイドと、を有する前記本体と、
弾性を有するとともに前記本体と嵌合する環状部材と、
を含んで構成され、
前記環状部材は、
前記係入突起が進入する側の一側端面にあって、前記第１通路となる切欠部を有し、前記第４通路を形成するとともに前記第２通路の他側終端となる第１のガイドリブと、
前記切欠部に対向する位置に設けられ前記第４通路を形成するとともに前記第１通路の一側終端となる第２のガイドリブと、
前記第１のガイドリブの前記切欠部側端部にあって、前記第４通路に突出して前記第１通路と前記第２通路の前記係入突起の往来を規制する状態と、許容する状態と、を弾性変形により切り替え可能な前記第１規制部となる突出部と、
前記第２のガイドリブの前記第２通路側端部にあって、前記第３通路にある前記係入突起を前記係入凹部に押さえつけて前記第２規制部となる押圧部と、
を備える請求項１記載のマイクロホン装置。
【請求項５】
前記押圧部は、前記第３通路にある前記係入突起を前記係入凹部に押さえつける可撓性の腕部と、前記腕部を支持する支持部とを含んで構成される請求項４記載のマイクロホン装置。
【請求項６】
前記支持部は、前記第４通路を挟んで、前記突出部と対向する位置にある請求項５記載のマイクロホン装置。
【請求項７】
前記突出部は、頂部が前記第４通路に臨む三角爪である請求項４記載のマイクロホン装置。
【請求項８】
前記環状部材の外径より大きな内径を有する第２の環状部材を備え、
前記本体は、前記押圧部が前記係入突起を前記係入凹部に押さえつけているときの前記端部蓋体の下端面との間で前記第２の環状部材を挟持する位置に、前記本体端部を通した前記第２の環状部材を支持する座面を備える請求項４記載のマイクロホン装置。
【請求項９】
前記第２の環状部材は、
前記下端面と前記座面との間で挟持されている状態で、外周面の彩色を視認可能にしている請求項８記載のマイクロホン装置。
【請求項１０】
本体端部に着脱可能な端部蓋体は、側部に係入突起を備え、
前記本体端部は、
前記係入突起を係入する係入凹部と、
前記係入突起が進退方向に第１の深さまで移動可能な第１通路と、
前記係入突起が進退方向に前記第１の深さから前記第１の深さより深い第２の深さまで移動可能な第２通路と、
前記係入突起が進退方向に前記第２の深さから前記第２の深さより深くにある前記係入凹部まで移動可能な第３通路と、
前記進退方向と直交する方向に、前記係入突起が前記第１通路と前記第２通路の間を移動可能な第４通路と、
前記進退方向と直交する方向に、前記係入突起が前記第２通路と前記第３通路の間を移動可能な第５通路と、
前記第４通路上にあって前記第１通路と前記第２通路の前記係入突起の往来を規制する第１規制部と、
前記第３通路上にあって前記係入凹部にある前記係入突起の前記第２の深さまでの移動を規制する第２規制部と、
を備える端部蓋体の固定構造。
【請求項１１】
本体端部に着脱可能な端部蓋体は、側部に係入突起を備え、
前記本体端部は、
前記係入突起を係入する係入凹部と、
前記係入突起が進退方向に第１の深さまで移動可能な第１通路と、
前記係入突起が進退方向に前記第１の深さから前記第１の深さより深い第２の深さまで移動可能な第２通路と、
前記係入突起が進退方向に前記第２の深さから前記第２の深さより深くにある前記係入凹部まで移動可能な第３通路と、
前記進退方向と直交する方向に、前記係入突起が前記第１通路と前記第２通路の間を移動可能な第４通路と、
前記進退方向と直交する方向に、前記係入突起が前記第２通路と前記第３通路の間を移動可能な第５通路と、
前記第４通路上にあって前記第１通路と前記第２通路の前記係入突起の往来を規制する第１規制部と、
前記第３通路上にあって前記係入凹部にある前記係入突起の前記第２の深さまでの移動を規制する第２規制部と、
を備え、
前記係入突起を、
前記第１の深さまで前記第１通路を移動させ、
前記第１規制部による規制に抗して前記第１通路から前記第２通路まで前記第４通路を移動させ、
前記第２の深さまで前記第２通路を移動させ、
前記第２通路から前記第３通路まで前記第５通路を移動させ、
前記係入凹部まで前記第３通路を移動させ、
前記第２規制部による移動規制により前記係入凹部に固定する端部蓋体の固定方法。
【発明の詳細な説明】
【技術分野】
【０００１】
本技術は、マイクロホン装置、端部蓋体の固定構造、および端部蓋体の固定方法に関する。
【背景技術】
【０００２】
ハンドヘルド型のワイヤレスマイクロホン装置は、マイクロホンカプセルによって集音されたオーディオ信号を赤外線または電波の形で出力する（たとえば、特許文献１参照）。
【０００３】
ところで、ハンドヘルド型のワイヤレスマイクロホン装置は、テレビ局での放送、劇場での公演、ホールでのスピーチなどにおいて同時に複数使用されることがある。その際、音声担当は、入力される音声信号をコントロールするため、入力される音声信号がいずれのワイヤレスマイクロホン装置から出力されたものかを把握する必要がある。そのため、音声担当は、各ワイヤレスマイクロホン装置にカラーテープを貼って、各ワイヤレスマイクロホン装置と入力される音声信号の対応関係を目視で把握できるようにしている。
【０００４】
しかしながら、カラーテープは、貼り直しが容易でないばかりか、剥がし跡が汚れとなる。そこで、ワイヤレスマイクロホン装置にカラーリングを取り付けることもおこなわれている。たとえば、カラーリングは、ワイヤレスマイクロホン装置の使用時に容易に視認できるよう、グリップエンドより終端側（端部）に装着され、ロックキャップ（端部蓋体）により脱落しないよう固定される。
【先行技術文献】
【特許文献】
【０００５】
【特許文献１】特開平９−１５４１９５号公報
【発明の概要】
【発明が解決しようとする課題】
【０００６】
しかしながら、カラーリングは、カラーリングの交換時の他、電池交換時など、ロックキャップを外す際に脱落して紛失してしまうことがあった。
【０００７】
また、使用者が意図せずロックキャップを外してしまう場合に、ロックキャップとともにカラーリングが脱落してしまうことがあった。
【０００８】
本技術は、このような点に鑑みてなされたものであり、端部に固定された端部蓋体が容易に脱落することのないマイクロホン装置、端部蓋体の固定構造、および端部蓋体の固定方法の提供を目的とする。
【課題を解決するための手段】
【０００９】
上記課題を解決するために、マイクロホン装置は、略円筒状の本体端部を有する本体と、前記本体端部に着脱可能な端部蓋体を備える。端部蓋体は、内周部に係入突起を備える。本体端部は、外周部に、係入凹部と、第１通路と、第２通路と、第３通路と、第４通路と、第５通路と、第１規制部と、第２規制部とを備える。係入凹部は、係入突起を係入する。第１通路は、係入突起が進退方向に第１の深さまで移動可能である。第２通路は、係入突起が進退方向に第１の深さから第１の深さより深い第２の深さまで移動可能である。第３通路は、係入突起が進退方向に第２の深さから第２の深さより深くにある係入凹部まで移動可能である。第４通路は、進退方向と直交する方向に、係入突起が第１通路と第２通路の間を移動可能である。第５通路は、進退方向と直交する方向に、係入突起が第２通路と第３通路の間を移動可能である。第１規制部は、第４通路上にあって第１通路と第２通路の係入突起の往来を規制する。第２規制部は、第３通路上にあって係入凹部にある係入突起の第２の深さまでの移動を規制する。
【００１０】
また、上記課題を解決するために、端部蓋体の固定構造は、本体端部に着脱可能な端部蓋体が側部に係入突起を備え、本体端部が、係入凹部と、第１通路と、第２通路と、第３通路と、第４通路と、第５通路と、第１規制部と、第２規制部とを備える。
【００１１】
また、上記課題を解決するために、端部蓋体の固定方法は、本体端部に着脱可能な端部蓋体が側部に係入突起を備え、本体端部が、係入凹部と、第１通路と、第２通路と、第３通路と、第４通路と、第５通路と、第１規制部と、第２規制部とを備える。端部蓋体の固定方法は、係入突起を、第１の深さまで第１通路を移動させ、第１規制部による規制に抗して第１通路から第２通路まで第４通路を移動させ、第２の深さまで第２通路を移動させ、第２通路から第３通路まで第５通路を移動させ、係入凹部まで第３通路を移動させ、第２規制部による移動規制により係入凹部に固定する。
【発明の効果】
【００１２】
上記のマイクロホン装置、端部蓋体の固定構造、および端部蓋体の固定方法によれば、端部に固定された端部蓋体が容易に脱落することがない。
【図面の簡単な説明】
【００１３】
【図１】第１の実施形態のマイクロホン装置の概観を示す図である。
【図２】第１の実施形態のマイクロホン装置の終端部の分解斜視図である。
【図３】第１の実施形態のアンテナキャップの概観を示す図である。
【図４】第１の実施形態のクッションリングの概観を示す図である。
【図５】第１の実施形態のカラーリングの概観を示す図である。
【図６】第１の実施形態のロックキャップの概観を示す図である。
【図７】第１の実施形態のクッションリングを装着したアンテナキャップの概観を示す図である。
【図８】第１の実施形態のクッションリングおよびカラーリングを装着したアンテナキャップの概観を示す図である。
【図９】第１の実施形態のマイクロホン装置におけるロックキャップの装着過程を示す図である。
【図１０】第１の実施形態のマイクロホン装置におけるロックキャップの装着過程を示す図である。
【図１１】第１の実施形態のマイクロホン装置におけるロックキャップの装着過程を示す図である。
【図１２】第１の実施形態のマイクロホン装置におけるロックキャップの装着過程を示す図である。
【図１３】第１の実施形態のマイクロホン装置におけるロックキャップの装着過程を示す図である。
【図１４】第１の実施形態のマイクロホン装置におけるロックキャップの装着過程を示す図である。
【図１５】第２の実施形態のマイクロホン装置の概観を示す図である。
【発明を実施するための形態】
【００１４】
［第１の実施形態］
以下、本発明の実施の形態を図面を参照して詳細に説明する。まず、第１の実施形態のマイクロホン装置について図１を用いて説明する。図１は、第１の実施形態のマイクロホン装置の概観を示す図である。
【００１５】
マイクロホン装置１は、ハンドヘルド型のワイヤレスマイクロホン装置である。マイクロホン装置１は、本体３と、本体３に着脱可能なカラーリング８、ロックキャップ６を含んで構成される。本体３は、一側端部に集音部２、中央部にグリップ部４、グリップ部４に隣接して他側端部側にグリップエンド部５、他側端部にアンテナキャップ７を備える。
【００１６】
マイクロホン装置１は、集音部２によって集音された音声信号をアンテナキャップ７に内蔵されるアンテナから電波の形で出力する。なお、マイクロホン装置１は、アンテナキャップ７に赤外線発光素子を内蔵し、赤外線の形で音声信号を出力するものであってもよい。
【００１７】
グリップ部４は、両端にある集音部２、グリップエンド部５よりも小径の円筒形状である。したがって、マイクロホン装置１の使用者は、通常の使用態様においてグリップ部４を把持することとなる。したがって、グリップエンド部５より他側端部側にあるカラーリング８、ロックキャップ６、アンテナキャップ７は、マイクロホン装置１の使用下において外部からの視認性が良好な位置にある。
【００１８】
カラーリング８は、所定の厚さ（たとえば、２．５ｍｍ）のある環状部材である。カラーリング８は、アンテナキャップ７を通してマイクロホン装置１に装着される。カラーリング８は、あらかじめ色を違えて複数個が用意される。たとえば、カラーリング８は、ＪＩＳ（Japan Industrial Standard：日本工業規格）の色コードにしたがい、黒、茶、赤、橙、黄、緑、青、紫、灰、白が用意される。カラーリング８は、いずれか１つがマイクロホン装置１に装着される。これにより、マイクロホン装置１は、外観から複数あるマイクロホン装置１を一意に特定可能な識別性を有する。
【００１９】
ロックキャップ（端部蓋体）６は、アンテナキャップ７を貫通させる穴の開いた略円錐台形状である。ロックキャップ６は、アンテナキャップ７を貫通させた後、本体３に固定される。
【００２０】
次に、マイクロホン装置１の終端部（本体端部）の構成について図２を用いて説明する。図２は、第１の実施形態のマイクロホン装置の終端部の分解斜視図である。
【００２１】
マイクロホン装置１は、本体３のアンテナキャップ７側の終端部にロックキャップ６の固定構造を有する。クッションリング９は、弾性を有する環状部材である。クッションリング９は、アンテナキャップ７を環内に通して本体３に装着される。クッションリング９は、本体３に係合されて固定されるため、係合状態においてアンテナキャップ７を下に向けても本体３から脱落することはない。
【００２２】
カラーリング８は、アンテナキャップ７およびクッションリング９を環内に通して本体３に装着される。カラーリング８は、カラーリング８の内径より大きな本体３の外径部に突き当たり、アンテナキャップ７を上に向けた状態で本体３に保持される。したがって、カラーリング８は、この状態においてアンテナキャップ７を下に向けると本体３から脱落し得る。
【００２３】
ロックキャップ６は、クッションリング９が本体３に装着されることにより、本体３に固定可能になる。本体３に固定されたロックキャップ６は、カラーリング８を本体３との間で挟持する。これにより、カラーリング８は、本体３に固定される。
【００２４】
次に、マイクロホン装置１の終端部を構成する各部品について図３から図６を用いて説明する。図３は、第１の実施形態のアンテナキャップの概観を示す図である。図４は、第１の実施形態のクッションリングの概観を示す図である。図５は、第１の実施形態のカラーリングの概観を示す図である。図６は、第１の実施形態のロックキャップの概観を示す図である。
【００２５】
本体３は、グリップエンド部５からアンテナキャップ７のある終端側に向かって外径が小さくなるテーパ面１７を有する。テーパ面１７は、本体３の外形とカラーリング８の外形とがほぼ同一となるところで、カラーリング座面１０と接続する。
【００２６】
カラーリング座面１０は、外周側でテーパ面１７と接続し、内周側でカラーリング内周当接壁１６と接続する環状であって、マイクロホン装置１の本体中心軸Ａと直交する平面である。カラーリング座面１０は、アンテナキャップ７およびクッションリング９を環内に通したカラーリング８が本体３と突き当たる面である。カラーリング座面１０は、カラーリング８と当接して、カラーリング８を支持する。
【００２７】
カラーリング内周当接壁１６は、カラーリング座面１０から見て内周側に位置する起立壁である。カラーリング内周当接壁１６は、さらに、その内周側となるクッションリング内周当接壁１５と接続する。また、カラーリング内周当接壁１６は、カラーリング８の内周面４１と当接する当接面である。
【００２８】
カラーリング内周当接壁１６は、カラーリング座面１０からの高さが高さＨ１となる位置と、高さＨ１より低い高さＨ２となる位置と、高さＨ１より高い高さＨ３となる位置とがある。カラーリング内周当接壁１６は、本体中心軸Ａを中心とする円周方向１２０°の範囲に、連続する高さＨ１、高さＨ２、高さＨ３となるカラーリング内周当接壁１６を１組にして、３組を配置する。
【００２９】
高さＨ１となるカラーリング内周当接壁１６の一部は、ロックキャップ６の爪５２（係入突起）を案内するガイド１３となる。高さＨ２となるカラーリング内周当接壁１６は、高さＨ１となるカラーリング内周当接壁１６と、高さＨ３となるカラーリング内周当接壁１６との間で溝１４（係入凹部）を形成する。高さＨ３となるカラーリング内周当接壁１６は、爪１１方向の側壁（高さＨ１からの立ち上がり部分）がホルダガイド１２を形成する。爪１１は、クッションリング９の爪ホルダ２５と係合し、クッションリング９を係止する。ホルダガイド１２は、クッションリング９を係止位置に案内するとともに係止位置に保持する。
【００３０】
クッションリング内周当接壁１５は、カラーリング内周当接壁１６の内周側に位置する起立壁である。クッションリング内周当接壁１５は、本体３の最終端となるアンテナキャップ７と滑り面１８を介して接続する。また、クッションリング内周当接壁１５は、クッションリング９の内周面３１と当接する当接面である。
【００３１】
滑り面１８は、アンテナキャップ７とカラーリング内周当接壁１６の間を凸曲面により接続する。これにより、滑り面１８は、アンテナキャップ７を環内に通したカラーリング８のカラーリング座面１０までの装着を容易にする。また、滑り面１８は、アンテナキャップ７を環内に通した爪５２のクッションリング９までの到達を容易にする。
【００３２】
クッションリング９は、弾性を有する環状部材であり、たとえば、軟質エラストマを素材とする。クッションリング９は、カラーリング内周当接壁１６と同様に、本体中心軸Ａを中心とする円周方向１２０°の範囲を１組にした構成を３組配置する。
【００３３】
クッションリング９は、爪１１を係合する爪ホルダ２５を備える。爪ホルダ２５は、ホルダガイド１２により係止位置に案内される。これにより、マイクロホン装置１は、本体３へのクッションリング９の組付け時の位置合わせが容易になる。また、ホルダガイド１２は、爪１１との間で爪ホルダ２５を挟持し、クッションリング９のガタつきを抑制して保持する。このとき、クッションリング９の内周面３１は、クッションリング内周当接壁１５と当接する。
【００３４】
クッションリング９は、本体３の最終端側の端面にガイドリブ２０を有する。ガイドリブ２０は、爪５２の本体中心軸Ａに沿った方向の移動を規制する。ガイドリブ２０は、爪５２のクッションリング９円周方向の移動を案内する。ガイドリブ２０は、爪５２の本体中心軸Ａに沿った方向の移動を規制する規制部と、その一部を切欠いて移動を許容するガイドリブ切欠部２１（許容部）を有する。ガイドリブ切欠部２１は、少なくとも爪５２の本体中心軸Ａに沿った方向の移動を許容する大きさを有する。
【００３５】
ガイドリブ２０は、規制部と許容部との境界部に三角爪２７を備える。三角爪２７は、摺動面２８に頂部を突出して、摺動面２８における爪５２のクッションリング９円周方向の移動を規制する。三角爪２７は、爪５２が規制に抗してクッションリング９円周方向に移動すると、弾性変形して爪５２の移動を許容する。
【００３６】
クッションリング９は、本体３のグリップエンド部５側の端面にガイドリブ２６を有する。ガイドリブ２６は、摺動面２８を挟んで三角爪２７と対向する一側を始点とし、爪ホルダ２５と接続する他側を終点とする。ガイドリブ２６は、爪５２の本体中心軸Ａ方向の移動を規制する。ガイドリブ２６は、摺動面２８にある爪５２のクッションリング９円周方向の移動を案内する。
【００３７】
ガイドリブ２６は、三角爪２７と対向する始点でアーム２２（腕部）と接続する。アーム２２は、ガイドリブ２６の始点（アーム根元部２９）からガイドリブ２６の終点方向に折り返すようにして下方（グリップエンド部５方向）に約４５度傾いて突出する。アーム２２は、アーム根元部２９を支点にしてガイドリブ２６側に倒れるように弾性変形可能な可撓性を有する。アーム２２の弾性変形時の可動範囲は、溝１４の範囲内にあり、カラーリング内周当接壁１６と干渉しない。アーム２２は、アーム根元部２９から先端部に向かって幅が狭くなるように形成され、十分な弾性変形量を得るとともに、弾性変形量に応じた十分な復元力（溝１４内に爪５２を押さえつけるための押圧力）を得ている。
【００３８】
摺動面２８は、爪５２が摺動する面である。摺動面２８は、アーム２２への接続域を切欠いた摺動面切欠部３０を有する。摺動面切欠部３０は、アーム２２の弾性変形を補助する。
【００３９】
クッションリング９は、ガイド壁２３、２４を備える。ガイド壁２３、２４は、爪ホルダ２５の側壁の一部である。ガイド壁２３、２４は、摺動面２８から起立し、摺動面２８を摺動する爪５２を案内する。
【００４０】
カラーリング８は、ロックキャップ６のカラーリング当接面５１と略同一の外径を有し、内周面４１がカラーリング内周当接壁１６と当接する環状部材である。カラーリング８は、ロックキャップ６と本体３とに挟持された状態で、外周面４２（識別部）が外観として観察可能になる。当接面４０は、カラーリング８の上底面または下底面とで同一形状であり、表裏の区別がないため本体３への装着方向を選ばない。
【００４１】
ロックキャップ６は、略円錐台形状であり、上底部および下底部にアンテナキャップ７を貫通させる貫通穴を備える。ロックキャップ６は、上底部側から側壁を切欠いたつまみ部５０を備える。つまみ部５０は、ロックキャップ６の本体３への着脱操作を容易にする。ロックキャップ６は、カラーリング当接面５１と爪５２を下底部に備える。カラーリング当接面５１は、本体３へのロックキャップ６の装着時に、カラーリング８と当接する。
【００４２】
爪５２は、溝１４（係入凹部）に収まる円弧状の突起（係入突起）である。爪５２は、カラーリング当接面５１と面合わせされた位置で、ロックキャップ６の内周部に備えられる。つまみ部５０および爪５２は、カラーリング内周当接壁１６と同様に、本体中心軸Ａを中心とする円周方向１２０°の間隔で３組配置される。１組のつまみ部５０および爪５２は、本体中心軸Ａを中心とする円周方向で同一位置にあり、また、側壁を切欠いたことで、つまみ部５０が爪５２に近接し、ロックキャップ６における爪操作を容易にする。
【００４３】
次に、マイクロホン装置１の終端部において、クッションリング９を装着した状態について図７を用いて説明する。図７は、第１の実施形態のクッションリングを装着したアンテナキャップの概観を示す図である。
【００４４】
アンテナキャップ７を環内に通したクッションリング９は、爪ホルダ２５がホルダガイド１２に突き当たる位置で、爪１１と爪ホルダ２５とが係合して本体３に保持される。クッションリング９は、本体３に保持された状態において、クッションリング９の最外周がカラーリング内周当接壁１６と同じ面位置となる。アーム２２は、クッションリング９が本体３に保持された状態において、溝１４内にある。
【００４５】
次に、マイクロホン装置１の終端部において、クッションリング９に加えてカラーリング８を装着した状態について図８を用いて説明する。図８は、第１の実施形態のクッションリングおよびカラーリングを装着したアンテナキャップの概観を示す図である。
【００４６】
アンテナキャップ７およびクッションリング９を環内に通したカラーリング８は、当接面４０がカラーリング座面１０に突き当たり、本体３に保持される。アーム２２は、カラーリング８の装着状態においても、アーム２２の弾性変形時の可動範囲が溝１４の範囲内にあり、カラーリング８の内周面４１と干渉しない。
【００４７】
次に、マイクロホン装置１におけるロックキャップ６の装着について図９から図１４を用いて説明する。図９から図１４は、第１の実施形態のマイクロホン装置におけるロックキャップの装着過程を示す図である。なお、図９から図１４は、装着過程を明示するためにカラーリング８の図示を省略している。また、図９から図１４は、ロックキャップ６の固定構造を明示するため、ロックキャップ６を破線で、爪５２をハッチングにより示す。
【００４８】
マイクロホン装置１は、本体３のアンテナキャップ７側の終端部からロックキャップ６の貫通穴にアンテナキャップ７を通して装着をおこなう。
【００４９】
まず、爪５２がガイドリブ２６に当接する位置までの移動について説明する（図９）。ロックキャップ６は、爪５２がガイドリブ２０に対応する位置から装着方向に移動した場合、爪５２とガイドリブ２０との当接（干渉）により装着方向への移動が規制される。ガイドリブ２０と当接した爪５２は、ガイドリブ２０に沿って本体中心軸Ａを回転軸にして回されることで、ガイドリブ切欠部２１に対応する位置まで移動可能である。ロックキャップ６は、爪５２がガイドリブ切欠部２１に対応する位置から装着方向に移動した場合、爪５２がガイドリブ２６に当接する位置までの装着方向（縦方向）への移動が許容される。
【００５０】
したがって、マイクロホン装置１は、爪５２がガイドリブ切欠部２１からガイドリブ２６に当接する位置（深さ）まで移動可能な縦方向通路６０を有する。縦方向通路６０は、ガイド壁２３によって縦方向の移動が案内される。
【００５１】
爪５２が縦方向通路６０に位置する状態（図９）において、ロックキャップ６は、爪５２が摺動面２８を摺動することにより縦方向通路６０を進退可能に移動可能である。一方、円周方向（図中右方向）への移動については、爪５２が三角爪２７と干渉することによって、ロックキャップ６は、円周方向（図中右方向）への移動が規制される。当状態下でアンテナキャップ７を下に向けると、ロックキャップ６およびカラーリング８は、本体３から脱落し得る。
【００５２】
次に、爪５２が三角爪２７によって規制される円周方向の移動について説明する（図１０）。爪５２は、ガイドリブ２６に案内されて摺動面２８を円周方向に移動可能であるが、三角爪２７によって三角爪２７を超えての移動が規制されている。しかしながら、三角爪２７は、爪５２を円周方向（横方向）に移動する力が所定以上加わると、頂部が潰れるように弾性変形し、爪５２の三角爪２７を超えての移動を許容する。すなわち、三角爪２７は、通常時において、対向するガイドリブ２６との間で爪５２が通過可能な間隙を有さず、弾性変形時において、爪５２が通過可能な間隙を有する。これにより、爪５２は、ガイド壁２３との当接位置からガイド壁２４への当接位置までの移動が可能になる。
【００５３】
したがって、マイクロホン装置１は、爪５２がガイドリブ２６と当接する深さで横方向に移動可能な横方向通路６１を有する。横方向通路６１は、ガイドリブ２０、２６によって摺動面２８の横方向の移動が案内される。爪５２が三角爪２７を超えてガイド壁２４側にあるロックキャップ６は、アンテナキャップ７を下に向けても本体３から脱落しない。カラーリング８は、ロックキャップ６が脱落しないことにより本体３から脱落しない。
【００５４】
なお、横方向通路６１は、三角爪２７の対向位置にアーム根元部２９が位置する。アーム根元部２９は、三角爪２７の弾性変形時に爪５２を支持する。これにより、マイクロホン装置１は、横方向通路６１の移動規制状態と移動許容状態とを好適に切り替える。また、マイクロホン装置１は、ガイドリブ２６をコンパクトにすることができる。
【００５５】
次に、爪５２がガイド１３に当接する位置までの移動について説明する（図１１）。爪５２が三角爪２７を超えてガイド壁２４側にあるロックキャップ６は、爪５２がガイド１３に当接する位置までの装着方向（縦方向）への移動が許容される。爪５２は、ガイドリブ２０との当接位置からガイド１３との当接位置までの移動が可能になる。
【００５６】
したがって、マイクロホン装置１は、爪５２がガイド１３に当接する位置（深さ）まで移動可能な縦方向通路６２を有する。縦方向通路６２は、ガイド壁２４によって縦方向の移動が案内される。
【００５７】
爪５２が縦方向通路６２に位置する状態（図１１）において、ロックキャップ６は、爪５２が摺動面２８を摺動することにより縦方向通路６２を移動可能である。一方、円周方向（図中左方向）への移動については、爪５２が三角爪２７あるいはアーム２２と干渉することによって、ロックキャップ６は、円周方向（図中右方向）への移動が規制される。当状態下でロックキャップ６は、爪５２が縦方向通路６２に保持され、アンテナキャップ７を下に向けても本体３から脱落しない。カラーリング８は、ロックキャップ６が脱落しないことにより本体３から脱落しない。
【００５８】
次に、爪５２がアーム２２によって規制される円周方向の移動について説明する（図１２から図１４）。爪５２は、ガイド１３に案内されて摺動面２８を円周方向に移動可能であるが、アーム２２によって溝１４への進入口が閉塞されて移動が規制されている。しかしながら、アーム２２は、アーム２２に円周方向（横方向）の力が所定以上加わると、弾性変形して溝１４への進入口から退避（溝１４への進入口の開放）して、爪５２の溝１４への進入を許容する（図１３）。これにより、爪５２は、ガイド壁２４との当接位置から溝１４までの移動が可能になる。溝１４にした進入した爪５２は、アーム２２の押圧力（復元力）により、溝１４内に押さえつけられる（図１４）。溝１４内に押さえつけられた爪５２は、アーム２２により縦方向の移動が規制されるとともに、溝１４の側壁により横方向の移動が規制される。
【００５９】
したがって、マイクロホン装置１は、爪５２がガイド１３と当接する深さで横方向に移動可能な横方向通路６３を有する。横方向通路６３は、ガイド１３によって横方向の移動が案内される。また、マイクロホン装置１は、爪５２が溝１４内で移動可能な縦方向通路６４を有する。縦方向通路６４は、溝１４の側壁によって縦方向の移動が案内される。
【００６０】
爪５２がアーム２２の押圧力により溝１４内に押さえつけられた状態（図１４）で、カラーリング８は、本体３のカラーリング座面１０と、ロックキャップ６のカラーリング当接面５１とに挟持される。当状態下でロックキャップ６は、爪５２が溝１４内に保持され、アンテナキャップ７を下に向けても本体３から脱落しない。カラーリング８は、ロックキャップ６が脱落しないことにより本体３から脱落しない。
【００６１】
なお、ロックキャップ６の装着手順について説明したが、ロックキャップ６は、固定状態からの逆手順で取り外すことができる。ロックキャップ６は、固定状態において、アーム２２によって下方向（グリップエンド部５方向）に付勢されている（図１４）。ロックキャップ６は、アーム２２の付勢力に抗して、爪５２を上方向に横方向通路６３まで移動し（図１３）、横方向通路６３を円周方向に縦方向通路６２まで移動することで、固定状態を解除できる（固定解除状態：図１２）。固定解除状態において、爪５２は、横方向通路６１の自由な移動が三角爪２７により規制され、横方向通路６３の自由な移動がアーム２２により規制される。これにより、マイクロホン装置１の取扱者が誤ってロックキャップ６の固定状態を解除しても、ロックキャップ６は、爪５２が縦方向通路６２の範囲にあり本体３から脱落しない。また、カラーリング８も、ロックキャップ６と同様に本体３から脱落しない。このように、ロックキャップ６およびカラーリング８は、誤った取り扱いにより本体３から脱落することがないので、紛失するおそれもない。また、ロックキャップ６およびカラーリング８が固定されない固定解除状態は、取扱者に対して、ロックキャップ６およびカラーリング８の脱落に対して注意喚起できる。
【００６２】
さらに、ロックキャップ６は、三角爪２７を弾性変形させて（図１０）、三角爪２７を超える（図９）ことで本体３からの取り外しが可能になる。
【００６３】
このように、マイクロホン装置１は、縦方向通路６０、横方向通路６１、縦方向通路６２、横方向通路６３、および縦方向通路６４を、本体３の終端部に階段状に配置することで、ロックキャップ６の一方向の操作での着脱ができないようにしている。すなわち、マイクロホン装置１は、操作方向を複数回切り替えないと、ロックキャップ６の本体３からの着脱ができない。
【００６４】
なお、第１の実施形態では、カラーリング８を固定するロックキャップ６を備えるマイクロホン装置１を例示したが、マイクロホン装置１は、カラーリング８を備えずロックキャップ６の固定自体を目的とするものであってもよい。たとえば、マイクロホン装置１は、ロックキャップ６に外観から複数あるマイクロホン装置１を一意に特定可能な識別性を持たせてもよい。
【００６５】
［第２の実施形態］
次に、ロックキャップの固定自体を目的とする第２の実施形態のマイクロホン装置について図１５を用いて説明する。図１５は、第２の実施形態のマイクロホン装置の概観を示す図である。
【００６６】
マイクロホン装置７０は、ハンドヘルド型のワイヤレスマイクロホン装置である。マイクロホン装置７０は、本体３と、本体３に着脱可能なロックキャップ７１を含んで構成される。本体３は、一側端部に集音部２、中央部にグリップ部４、グリップ部４に隣接して他側端部側にグリップエンド部５、他側端部にロックキャップ７１を備える。
【００６７】
マイクロホン装置７０は、本体３の内部に電池を収納可能であり、ロックキャップ７１を取り外すことで電池交換が可能になっている。マイクロホン装置７０は、第１の実施形態のマイクロホン装置１と同様のロックキャップ７１の固定構造を備える。
【００６８】
ロックキャップ（端部蓋体）７１は、略円錐台形状である。ロックキャップ７１は、図示しない固定構造により本体３に固定される。
【００６９】
なお、第１の実施形態ではマイクロホン装置１を用いて、第２の実施形態ではマイクロホン装置７０を用いて、端部蓋体の固定構造を説明したが、これに限らず本体の端部を端部蓋体で固定するものであれば広く適用可能である。たとえば、本体の端部を端部蓋体で固定するものには、終端に電池蓋を備える懐中電灯、終端に蓋を備える容器、キャップを備える筆記具などがある。
【００７０】
なお、本体端部に端部蓋体を固定する固定構造として、円周面に固定構造を配置した略円筒状のマイクロホン装置１、７０を例示したが、平面上に固定構造を配置したものであってもよい。たとえば、平面上に配置された固定構造は、直方体の箱体にコ字状の蓋体の固定に適用可能である。
【００７１】
なお、マイクロホン装置１は、横方向通路６１、６３を縦方向通路６２で折り返すようにして配置したが、縦方向通路６２を挟むように配置してもよい。横方向通路６１、６３を縦方向通路６２で折り返すようにして配置した場合、マイクロホン装置１は、横方向通路６１、６３を円周方向にコンパクトに配置することができる。また、横方向通路６１、６３を縦方向通路６２を挟むようにして配置した場合、マイクロホン装置１は、横方向通路６１、６３を本体３の軸方向にコンパクトに配置することができる。
【００７２】
なお、ガイドリブ２０は、規制部と許容部との境界部に三角爪２７を備えたが、爪５２のクッションリング９円周方向の移動を規制するものであれば、かまぼこ状などその他の形状であってもよい。
【００７３】
なお、カラーリング８（識別リング）は、色彩によりマイクロホン装置１に識別性を付与したが、複数あるマイクロホン装置１を一意に特定可能であれば、色彩に限らず、模様、形状などの外観によって識別性を付与するものであってもよい。
【００７４】
なお、マイクロホン装置１は、クッションリング９と本体３とで別体に構成したが、クッションリング９と本体３を一体に構成してもよい。
【００７５】
なお、本技術は以下のような構成も採ることができる。
（１）略円筒状の本体端部を有する本体と、前記本体端部に着脱可能な端部蓋体を備え、
前記端部蓋体は、内周部に係入突起を備え、
前記本体端部は、外周部に、
前記係入突起を係入する係入凹部と、
前記係入突起が進退方向に第１の深さまで移動可能な第１通路と、
前記係入突起が進退方向に前記第１の深さから前記第１の深さより深い第２の深さまで移動可能な第２通路と、
前記係入突起が進退方向に前記第２の深さから前記第２の深さより深くにある前記係入凹部まで移動可能な第３通路と、
前記進退方向と直交する方向に、前記係入突起が前記第１通路と前記第２通路の間を移動可能な第４通路と、
前記進退方向と直交する方向に、前記係入突起が前記第２通路と前記第３通路の間を移動可能な第５通路と、
前記第４通路上にあって前記第１通路と前記第２通路の前記係入突起の往来を規制する第１規制部と、
前記第３通路上にあって前記係入凹部にある前記係入突起の前記第２の深さまでの移動を規制する第２規制部と、
を備えるマイクロホン装置。
（２）前記端部蓋体は、前記内周部に等間隔で３対の前記係入突起を備え、
前記本体端部は、外周部に等間隔で３対の、前記係入凹部、前記第１通路、前記第２通路、前記第３通路、前記第４通路、前記第５通路、前記第１規制部および前記第２規制部を備える（１）記載のマイクロホン装置。
（３）前記第４通路と前記第５通路は、前記第２通路で折り返す（１）または（２）記載のマイクロホン装置。
（４）前記本体端部は、
前記係入凹部と、前記第５通路を形成するとともに前記第２通路の一側終端となるガイドと、を有する前記本体と、
弾性を有するとともに前記本体と嵌合する環状部材と、
を含んで構成され、
前記環状部材は、
前記係入突起が進入する側の一側端面にあって、前記第１通路となる切欠部を有し、前記第４通路を形成するとともに前記第２通路の他側終端となる第１のガイドリブと、
前記切欠部に対向する位置に設けられ前記第４通路を形成するとともに前記第１通路の一側終端となる第２のガイドリブと、
前記第１のガイドリブの前記切欠部側端部にあって、前記第４通路に突出して前記第１通路と前記第２通路の前記係入突起の往来を規制する状態と、許容する状態と、を弾性変形により切り替え可能な前記第１規制部となる突出部と、
前記第２のガイドリブの前記第２通路側端部にあって、前記第３通路にある前記係入突起を前記係入凹部に押さえつけて前記第２規制部となる押圧部と、
を備える（１）乃至（３）のいずれか１つに記載のマイクロホン装置。
（５）前記押圧部は、前記第３通路にある前記係入突起を前記係入凹部に押さえつける可撓性の腕部と、前記腕部を支持する支持部とを含んで構成される（４）記載のマイクロホン装置。
（６）前記支持部は、前記第４通路を挟んで、前記突出部と対向する位置にある（５）記載のマイクロホン装置。
（７）前記突出部は、頂部が前記第４通路に臨む三角爪である（４）乃至（６）のいずれか１つに記載のマイクロホン装置。
（８）前記環状部材の外径より大きな内径を有する第２の環状部材を備え、
前記本体は、前記押圧部が前記係入突起を前記係入凹部に押さえつけているときの前記端部蓋体の下端面との間で前記第２の環状部材を挟持する位置に、前記本体端部を通した前記第２の環状部材を支持する座面を備える（４）乃至（７）のいずれか１つに記載のマイクロホン装置。
（９）前記第２の環状部材は、
前記下端面と前記座面との間で挟持されている状態で、外周面の彩色を視認可能にしている（８）記載のマイクロホン装置。
（１０）本体端部に着脱可能な端部蓋体は、側部に係入突起を備え、
前記本体端部は、
前記係入突起を係入する係入凹部と、
前記係入突起が進退方向に第１の深さまで移動可能な第１通路と、
前記係入突起が進退方向に前記第１の深さから前記第１の深さより深い第２の深さまで移動可能な第２通路と、
前記係入突起が進退方向に前記第２の深さから前記第２の深さより深くにある前記係入凹部まで移動可能な第３通路と、
前記進退方向と直交する方向に、前記係入突起が前記第１通路と前記第２通路の間を移動可能な第４通路と、
前記進退方向と直交する方向に、前記係入突起が前記第２通路と前記第３通路の間を移動可能な第５通路と、
前記第４通路上にあって前記第１通路と前記第２通路の前記係入突起の往来を規制する第１規制部と、
前記第３通路上にあって前記係入凹部にある前記係入突起の前記第２の深さまでの移動を規制する第２規制部と、
を備える端部蓋体の固定構造。
（１１）本体端部に着脱可能な端部蓋体は、側部に係入突起を備え、
前記本体端部は、
前記係入突起を係入する係入凹部と、
前記係入突起が進退方向に第１の深さまで移動可能な第１通路と、
前記係入突起が進退方向に前記第１の深さから前記第１の深さより深い第２の深さまで移動可能な第２通路と、
前記係入突起が進退方向に前記第２の深さから前記第２の深さより深くにある前記係入凹部まで移動可能な第３通路と、
前記進退方向と直交する方向に、前記係入突起が前記第１通路と前記第２通路の間を移動可能な第４通路と、
前記進退方向と直交する方向に、前記係入突起が前記第２通路と前記第３通路の間を移動可能な第５通路と、
前記第４通路上にあって前記第１通路と前記第２通路の前記係入突起の往来を規制する第１規制部と、
前記第３通路上にあって前記係入凹部にある前記係入突起の前記第２の深さまでの移動を規制する第２規制部と、
を備え、
前記係入突起を、
前記第１の深さまで前記第１通路を移動させ、
前記第１規制部による規制に抗して前記第１通路から前記第２通路まで前記第４通路を移動させ、
前記第２の深さまで前記第２通路を移動させ、
前記第２通路から前記第３通路まで前記第５通路を移動させ、
前記係入凹部まで前記第３通路を移動させ、
前記第２規制部による移動規制により前記係入凹部に固定する端部蓋体の固定方法。
【００７６】
なお、上述の実施の形態は、実施の形態の要旨を逸脱しない範囲内において種々の変更を加えることができる。
【００７７】
さらに、上述の実施の形態は、多数の変形、変更が当業者にとって可能であり、説明した正確な構成および応用例に限定されるものではない。
【符号の説明】
【００７８】
１，７０……マイクロホン装置、２……集音部、３……本体、４……グリップ部、５……グリップエンド部、６，７１……ロックキャップ、７……アンテナキャップ、８……カラーリング、９……クッションリング、１０……カラーリング座面、１１，５２……爪、１２……ホルダガイド、１３……ガイド、１４……溝、１５……クッションリング内周当接壁、１６……カラーリング内周当接壁、１７……テーパ面、１８……滑り面、２０，２６……ガイドリブ、２１……ガイドリブ切欠部、２２……アーム、２３，２４……ガイド壁、２５……爪ホルダ、２７……三角爪、２８……摺動面、２９……アーム根元部、３０……摺動面切欠部、３１……内周面、４０……当接面、４１……内周面、４２……外周面、５０……つまみ部、５１……カラーリング当接面、６０，６２，６４……縦方向通路、６１，６３……横方向通路
【図１】
2012257123.tif 000003
【図２】
2012257123.tif 000004
【図３】
2012257123.tif 000005
【図４】
2012257123.tif 000006
【図５】
2012257123.tif 000007
【図６】
2012257123.tif 000008
【図７】
2012257123.tif 000009
【図８】
2012257123.tif 000010
【図９】
2012257123.tif 000011
【図１０】
2012257123.tif 000012
【図１１】
2012257123.tif 000013
【図１２】
2012257123.tif 000014
【図１３】
2012257123.tif 000015
【図１４】
2012257123.tif 000016
【図１５】
2012257123.tif 000017